(57)【特許請求の範囲】
【請求項１】
投入された媒体の価値を識別するとともに、前記媒体を収納する媒体識別装置を有し、前記媒体識別装置が内蔵された媒体識別収納部と、前記媒体識別装置で識別された媒体の価値に対応する枚数のメダルを払い出すホッパー装置を有し、前記ホッパー装置が内蔵されたメダル払い出し部と、前記媒体識別収納部とメダル払い出し部とを上下に配置して収納する枠体とを備え、少なくとも前記媒体識別収納部とメダル払い出し部とが別体に形成されたメダル貸し出し機において、
前記媒体識別収納部とメダル払い出し部は、前記枠体に互いの配置を入れ替えて収納可能であり、上面及び下面に各々設けられた開口と、前面の上部及び下部に各々配置されたロック用シリンダと、これらのロック用シリンダとそれぞれ一体に連結され、前記開口に対応するように各々配置されたロック部材とをそれぞれ備え、
前記枠体は、前記ロック部材に対応するように、内壁の上面及び下面にロック孔が各々設けられており、
前記ロック用シリンダを専用キーで回転させた時に前記開口から前記ロック部材が突出して前記ロック孔に挿入されることで、前記媒体識別収納部とメダル払い出し部とを、その配置に関わらず前記枠体に固定可能としたことを特徴とするメダル貸し出し機。
【発明の詳細な説明】
【０００１】
【発明の属する技術分野】
本発明は、複数並べられたスロットマシン同士の間に配置され、投入された媒体の価値に応じた枚数のメダルを貸し出すためのメダル貸し出し機に関するものである。
【０００２】
【従来の技術】
例えばスロットマシンなどの遊技機でゲームを行う場合には、メダルなどの遊技媒体が用いられる。遊技者には媒体である例えば現金と引き替えにメダルが貸し出され、遊技者は貸し出されたメダルを用いてゲームを行う。媒体と引き替えにメダルの貸し出しを受けるにあたってはメダル貸し機が使用される。メダル貸し出し機は、一般にいわゆる島として複数並べられているスロットマシンの間に配置されている。このようなメダル貸し出し機は、投入された媒体の価値を識別するとともに、投入された媒体が収納される媒体識別装置を有する媒体識別収納部と、前記媒体識別装置で識別された媒体の価値に対応する枚数のメダルを払い出すホッパー装置を有するメダル払い出し部とを備えており、それぞれ箱形に形成されているものが殆どである。そして、媒体識別収納部とメダル払い出し部とをネジ止めなどにより一体に連結してからスロットマシンの間に設置されて使用される。
【０００３】
【発明が解決しようとする課題】
しかしながら、上記のメダル貸し出し機は、媒体識別収納部とメダル払い出し部とを一体に連結してから設置しなければならないため、各部が故障して修理を行ったときやメンテナンスを行うために各部を分割した場合、再び各部を連結する作業は非常に煩わしいものとなっており、これに伴いメダル貸し出し機の設置作業全体が効率の悪いものとなっていた。また、媒体識別収納部とメダル払い出し部とが所定の位置で連結するようになっているため、各部の位置を入れ替えることが不可能となっており、メダル貸し出し機を配置するにあたっての自由度が少ないという欠点があった。
【０００４】
本発明は、媒体識別収納部及びメダル払い出し部を配置するにあたっての自由度を高め、かつ設置作業を簡単化できるようにしたメダル貸し出し機を提供することを目的とする。
【０００５】
【課題を解決するための手段】
上記目的を達成するために、本発明のメダル貸し出し機は、投入された媒体の価値を識別するとともに、前記媒体を収納する媒体識別装置を有し、前記媒体識別装置が内蔵された媒体識別収納部と、前記媒体識別装置で識別された媒体の価値に対応する枚数のメダルを払い出すホッパー装置を有し、前記ホッパー装置が内蔵されたメダル払い出し部と、前記媒体識別収納部とメダル払い出し部とを上下に配置して収納する枠体とを備え、少なくとも前記媒体識別収納部とメダル払い出し部とが別体に形成されたメダル貸し出し機において、前記媒体識別収納部とメダル払い出し部は、前記枠体に互いの配置を入れ替えて収納可能であり、上面及び下面に各々設けられた開口と、前面の上部及び下部に各々配置されたロック用シリンダと、これらのロック用シリンダとそれぞれ一体に連結され、前記開口に対応するように各々配置されたロック部材とをそれぞれ備え、前記枠体は、前記ロック部材に対応するように、内壁の上面及び下面にロック孔が各々設けられており、前記ロック用シリンダを専用キーで回転させた時に前記開口から前記ロック部材が突出して前記ロック孔に挿入されることで、前記媒体識別収納部とメダル払い出し部とを、その配置に関わらず前記枠体に固定可能としたものである。なお、前記媒体は、例えば紙幣や硬貨の他に、カードなどの遊技者がメダルの購入又はメダルの貸し出しを受けるために必要な価値媒体のことである。前記カードとしては、例えばプリペイドカード、クレジットカードを含む磁気カード、バーコードが記載されたレシート、ＩＤカードなどがある。
【０００７】
【発明の実施の形態】
図１及び図２に示すように、本発明のメダル貸し出し機１０は、枠体１１と、媒体識別収納部１２と、メダル払い出し部１３とから構成されている。枠体１１は図示しないスロットマシン同士の間に設置されている。媒体識別収納部１２及びメダル払い出し部１３は枠体１１に収納されており、各部とも外形寸法は同じとなるように形成されている。枠体１１の前面開口１１ａは幅寸法が媒体識別収納部１２及びメダル払い出し部１３の幅寸法と略同等に形成されており、長手方向の寸法が媒体識別収納部１２とメダル払い出し部１３との高さ寸法を合計した長さと略同等に形成されている。
【０００８】
媒体識別収納部１２の前面には媒体投入口１４が設けられており、この媒体投入口１４から媒体の１つである紙幣が投入される。媒体識別収納部１２内部には媒体識別装置１５が設けられており、媒体投入口１４から投入された紙幣が適正な紙幣か否か及び適正に投入されたか否かが判別される。投入方法及び投入された紙幣が適正である場合は媒体識別装置１５内部に紙幣が収納される。媒体識別収納部１２の上方には前面開放用シリンダ１６が設けられており、専用のキーが差し込まれて回動されると前面が開放され、収納された紙幣が取り出し可能となる。
【０００９】
メダル払い出し部１３には、前面にメダル受け皿１７が設けられており、媒体識別装置１５により投入方法及び投入された紙幣が適正であることが識別されるとメダル受け皿１７に所定枚数のメダルが払い出される。メダルの払い出しは周知のホッパー装置１８により行われ、媒体識別装置１５に投入された紙幣が適正であることが識別されると、駆動信号がホッパー装置１８に入力され、ホッパー装置１８が一定時間駆動される。メダル受け皿１７の上方にも、前面開放用シリンダ１６が設けられており、専用のキーが差し込まれて回動されると前面が開放され、ホッパー装置１８へのコインの補給が可能になる。
【００１０】
媒体識別収納部１２及びメダル払い出し部１３の前面上方に第１ロック用シリンダ１９ａ、下方に第２ロック用シリンダ１９ｂが設けられている。第１及び第２ロック用シリンダ１９ａ，１９ｂにはリンク棒２０を介してロック部材２１が一体に連結されている。媒体識別収納部１２及びメダル払い出し部１３の上面及び下面には開口１２ａ，１２ｂ及び１３ａ，１３ｂが形成されており、第１ロック用シリンダ１９ａに専用のキーを差し込み、反時計方向に９０度回転させると上面の開口１２ａ及び開口１３ａからロック部材２１が突出する。また、第２ロック用シリンダ１９ｂに専用のキーを差し込み、時計方向に９０度回転させると下面の開口１２ｂ及び１３ｂからロック部材２１が突出する。枠体１１には、内壁の上面及び下面にロック孔１１ｂ，１１ｃが設けられており、開口１２ａ及び１３ａから突出したロック部材２１が挿入され、媒体識別収納部１２及びメダル払い出し部１３が枠体１１から飛び出ることが防止される。なお、詳しくは図示しないが、枠体１１と、媒体識別収納部１２及びメダル払い出し部１３とには互いに対応するコネクタが設けられており、これらを連結することで電気的に接続される。
【００１１】
上記のように構成されたメダル貸し出し機１０で設置作業を行う場合、枠体１１内で媒体識別収納部１２及びメダル払い出し部１３をセットする位置を決定する。媒体識別収納部１２を上方、メダル払い出し部１３を下方に配置する場合は、先ず、メダル払い出し部１３を前面開口１１ａから枠体１１内に挿入する。そして、第２ロック用シリンダ１９ｂに専用キーを差し込み、時計方向に回転させる。これに伴い、ロック部材２１が回転して、枠体１１内壁の下面のロック孔１１ｃに挿入される。この後、媒体識別収納部１２を、メダル払い出し部１３の上面と枠体１１の内壁面とで形成されたスペースに前面開口１１ａから挿入する。そして、第１ロック用シリンダ１９ａに専用キーを差し込み、反時計方向に回転させる。これに伴い、ロック部材２１が回転して、枠体１１内壁のロック孔１１ｂに挿入される。これにより、媒体識別収納部１２及びメダル払い出し部１３が枠体１１から飛び出してしまうことが防止され、また、媒体識別収納部１２及びメダル払い出し部１３が盗難されることが防止される。
【００１２】
また、メダル払い出し部１３を上方、媒体識別収納部１２を下方に配置する場合は、媒体識別収納部１２を先に前面開口１１ａから枠体１１内に挿入する。そして、第２ロック用シリンダ１９ｂに専用キーを差し込み、時計方向に回転させる。この後、メダル払い出し部１３を媒体識別収納部１２の上面と枠体１１の内壁面とで形成されたスペースに前面開口１１ａから枠体１１内に挿入する。そして、第１ロック用シリンダ１９ａに専用キーを差し込み、反時計方向に回転させればよい。
【００１３】
遊技者がゲームを行うにあたって紙幣を媒体投入口１４に投入すると、媒体識別装置１５で投入された紙幣が適正な紙幣か否か、及び適正に投入されたか否かが識別される。媒体識別装置１５で紙幣が適正であることが識別されると、ホッパー装置１８が駆動され、メダル受け皿１７に所定枚数のメダルが払い出される。
【００１４】
上記実施形態では、枠体１１をスロットマシンの間に据え付けておき、その枠体１１に媒体識別収納部１２及びメダル払い出し部１３をセットするようにしたが、枠体１１に媒体識別収納部１２及びメダル払い出し部１３をセットしてからスロットマシン同士の間にメダル貸し出し機１０を設置するようにしてもよい。
【００１５】
上記実施形態では、メダル受け皿１７にメダルが払い出されるようにしたが、メダル払い出し部１３から払い出されたメダルをスロットマシンのメダル受け皿やメダル投入口にガイドするノズルを設けて、このノズルからメダルが払い出されるようにしてもよい。
【００１６】
【発明の効果】
以上のように、本発明のメダル貸し出し機によれば、媒体識別収納部とメダル払い出し部とを収納するとともに、前記媒体識別収納部とメダル払い出し部とがそれぞれ入れ替え可能な枠体を設けたので、媒体識別収納部とメダル払い出し部とを配置するにあたっての自由度が高くなり、様々なニーズに対応できる。また、媒体識別収納部とメダル払い出し部とを連結する手間が省くことが可能になってメダル貸し出し機の設置作業を簡単化でき、これによりメダル貸し出し機の設置作業の効率を良くすることができる。
【００１７】
さらに、媒体識別収納部とメダル払い出し部とを前記枠体に固定するためのロック機構を設けたので、枠体から各部が飛び出すことを防止でき、また、メダルや媒体の盗難の防止も可能になる。
【図面の簡単な説明】
【図１】本発明を実施したメダル貸し出し機の外観斜視図である。
【図２】メダル貸し出し機の構成を示す説明図である。
【符号の説明】
１０  メダル貸し出し機
１１  枠体
１１ａ  前面開口
１１ｂ，１１ｃ  ロック孔
１２  媒体識別収納部
１３  メダル払い出し部
１９ａ  第１ロック用シリンダ
１９ｂ  第２ロック用シリンダ
２１  ロック部材
【図１】
0004021203.tif 000002
【図２】
0004021203.tif 000003